(57)【要約】 【課題】  部品点数を削減する。【解決手段】  ハウジング１０には、リテーナ３１と電線カバー３６が一体化された保持部材３０が組み付けられる。ハウジング１０に端子金具５０を挿入し、ハウジング１０に組み付けたリテーナ３１により端子金具５０を抜け止めし、端子金具５０に接続された電線５５をハウジング１０の後端から導出させ、ハウジング１０に組み付けた電線カバー３６により電線５５を所定の向きに保持する。リテーナ３１と電線カバー３６を一体の部品としたので、リテーナと電線カバーが別個の部品であるものに比べて部品点数が少なくて済む。【選択図】  図４
2006164843.tif 000002
【特許請求の範囲】
【請求項１】
ハウジングに端子金具を挿入し、
前記ハウジングに組み付けたリテーナによって前記端子金具を抜け止めし、
前記端子金具に接続された電線を前記ハウジングの後端から導出させ、
前記ハウジングに組み付けた電線カバーにより前記電線を所定の向きに保持するようにしたコネクタにおいて、
前記リテーナと前記電線カバーが一体化された保持部材を備えていることを特徴とするコネクタ。
【請求項２】
前記保持部材が、ヒンジを介して前記ハウジングに連結されていることを特徴とする請求項１記載のコネクタ。
【請求項３】
前記リテーナが前側に配され、
前記電線カバーが後側に配され、
前記ヒンジが前記リテーナに形成され、
前記電線カバーと前記ハウジングに、互いに係止することで前記保持部材を前記ハウジングへの組付け状態にロックするロック部が設けられていることを特徴とする請求項２記載のコネクタ。
【請求項４】
前記ロック部には、前記ハウジングから前記端子金具が抜ける方向と略直角な抜け規制面が形成されていることを特徴とする請求項３記載のコネクタ。
【請求項５】
前記ロック部には、前記ハウジングから前記電線カバーが外れる方向と略直角な外れ規制面が形成されていることを特徴とする請求項３または請求項４に記載のコネクタ。
【請求項６】
前記電線カバーに、前記電線の外周に食い込むことで前記電線の長さ方向への変位を規制する食い込み部が形成されていることを特徴とする請求項１ないし請求項５のいずれかに記載のコネクタ。
【請求項７】
前記ハウジングには、前記端子金具を収容する複数のキャビティが並列して形成され、
前記ハウジングの外面には、前記複数のキャビティを外部に開放させる開口部が形成され、
前記開口部が、前記リテーナによって閉塞されるようになっているものであって、
隣り合う前記キャビティ間の隔壁における前記開口部に臨む端縁部に、リブが形成され、
前記リテーナにおける前記開口部との対向面に、前記リブを嵌合させる嵌合溝が形成されていることを特徴とする請求項１ないし請求項６のいずれかに記載のコネクタ。
【請求項８】
前記リブと前記嵌合溝には、互いに係止することで、前記リテーナが前記ハウジングから離間する方向への変位を規制可能な係止部が形成されていることを特徴とする請求項７記載のコネクタ。
【発明の詳細な説明】
【技術分野】
【０００１】
本発明は、コネクタに関するものである。
【背景技術】
【０００２】
コネクタとして、ハウジングに端子金具を挿入し、ハウジングに組み付けたリテーナによって端子金具を抜け止めし、更に、端子金具の後端部に接続された電線をハウジングの後端から導出させ、ハウジングに組み付けた電線カバーにより電線を所定の向きに保持するようにしたものがある。尚、この種のコネクタとしては、特許文献１に開示されているものがある。
【特許文献１】特開平９−９２３７６号公報
【発明の開示】
【発明が解決しようとする課題】
【０００３】
上記従来のコネクタでは、リテーナと電線カバーが互いに別個の部品であったため、部品点数が多いという問題があった。  
本発明は上記のような事情に基づいて完成されたものであって、部品点数を削減することを目的とする。
【課題を解決するための手段】
【０００４】
上記の目的を達成するための手段として、請求項１の発明は、ハウジングに端子金具を挿入し、前記ハウジングに組み付けたリテーナによって前記端子金具を抜け止めし、前記端子金具に接続された電線を前記ハウジングの後端から導出させ、前記ハウジングに組み付けた電線カバーにより前記電線を所定の向きに保持するようにしたコネクタにおいて、前記リテーナと前記電線カバーが一体化された保持部材を備えているところに特徴を有する。
【０００５】
請求項２の発明は、請求項１に記載のものにおいて、前記保持部材が、ヒンジを介して前記ハウジングに連結されているところに特徴を有する。
【０００６】
請求項３の発明は、請求項２に記載のものにおいて、前記リテーナが前側に配され、前記電線カバーが後側に配され、前記ヒンジが前記リテーナに形成され、前記電線カバーと前記ハウジングに、互いに係止することで前記保持部材を前記ハウジングへの組付け状態にロックするロック部が設けられているところに特徴を有する。
【０００７】
請求項４の発明は、請求項３に記載のものにおいて、前記ロック部には、前記ハウジングから前記端子金具が抜ける方向と略直角な抜け規制面が形成されているところに特徴を有する。
【０００８】
請求項５の発明は、請求項３または請求項４に記載のものにおいて、前記ロック部には、前記ハウジングから前記電線カバーが外れる方向と略直角な外れ規制面が形成されているところに特徴を有する。
【０００９】
請求項６の発明は、請求項１ないし請求項５のいずれかに記載のものにおいて、前記電線カバーに、前記電線の外周に食い込むことで前記電線の長さ方向への変位を規制する食い込み部が形成されているところに特徴を有する。
【００１０】
請求項７の発明は、請求項１ないし請求項６のいずれかに記載のものにおいて、前記ハウジングには、前記端子金具を収容する複数のキャビティが並列して形成され、前記ハウジングの外面には、前記複数のキャビティを外部に開放させる開口部が形成され、前記開口部が、前記リテーナによって閉塞されるようになっているものであって、隣り合う前記キャビティ間の隔壁における前記開口部に臨む端縁部に、リブが形成され、前記リテーナにおける前記開口部との対向面に、前記リブを嵌合させる嵌合溝が形成されているところに特徴を有する。
【００１１】
請求項８の発明は、請求項７に記載のものにおいて、前記リブと前記嵌合溝には、互いに係止することで、前記リテーナが前記ハウジングから離間する方向への変位を規制可能な係止部が形成されているところに特徴を有する。
【発明の効果】
【００１２】
＜請求項１の発明＞
リテーナと電線カバーを一体の部品としたので、リテーナと電線カバーが別個の部品であるものに比べて部品点数が少なくて済む。
【００１３】
＜請求項２の発明＞
リテーナと電線カバーを一体化した保持部材が、ヒンジを介してハウジングに連結されているので、メンテナンス等のためにリテーナや電線カバーをハウジングから外したときに、保持部材が紛失する虞がない。また、ハウジングに対する保持部材の組付け経路がヒンジによって規定されるので、組付けの際に保持部材がハウジングに対して位置ずれする虞がなく、組付け作業性が良い。
【００１４】
＜請求項３の発明＞
保持部材をハウジングに組み付けた状態では、保持部材の前側部分がヒンジによりハウジングに連結されるとともに、保持部材の後側部分がロック部によってハウジングに係止される。このように、保持部材は前後２ヶ所でハウジングに支持されるので、組付け状態における保持部材の姿勢が安定する。
【００１５】
＜請求項４の発明＞
端子金具がハウジングから抜ける方向へ引っ張られると、端子金具が電線カバーを同方向へ押圧することになるが、ロック部の抜け規制面同士が係止することにより、電線カバーのハウジングからの離脱や相対変位が規制され、ひいては、端子金具の抜け方向の変位が規制される。
【００１６】
＜請求項５の発明＞
電線カバーに対しハウジングから外れる方向の外力が作用しても、ロック部の外れ規制面同士が係止することにより、電線カバーのハウジングからの外れが規制される。
【００１７】
＜請求項６の発明＞
電線に食い込み部が食い込むことにより、電線の長さ方向への変位が規制されるので、電線が引っ張られたときに、端子金具と電線の接続部分における負荷が軽減される。
【００１８】
＜請求項７の発明＞
保持部材をハウジングに組み付けてハウジングの開口部をリテーナによって塞ぐと、ハウジングのリブがリテーナの嵌合溝に嵌合されることにより、ハウジングに対してリテーナが位置決めされる。
【００１９】
＜請求項８の発明＞
保持部材をハウジングに組み付けてリブと嵌合溝とを嵌合すると、係止部同士の係止作用により、リテーナがハウジングから離間する方向への変位を規制されるので、保持部材をハウジングに対して確実に組み付け状態に保持しておくことができる。
【発明を実施するための最良の形態】
【００２０】
＜実施形態１＞
以下、本発明を具体化した実施形態１を図１乃至図１４を参照して説明する。本実施形態のコネクタは、ハウジング１０と保持部材３０とを一体成型した合成樹脂部品であって、保持部材３０は、ハウジング１０に組み付けることができるとともに、ハウジング１０から外すことができるようになっている。  
ハウジング１０の内部には、前後方向に細長い左右一対のキャビティ１１が横並びに配されて形成されている。キャビティ１１の前端はハウジング１０の前端面にタブ挿入口１２として開口しており、キャビティ１１の後端はハウジング１０の後端面に端子挿入口１３として大きく開口されている。また、ハウジング１０の上面には、キャビティ１１の略後半部分をハウジング１０外へ開放させる開口部１４が、端子挿入口１３と連通する形態で形成されている。両キャビティ１１を仕切る隔壁１５の上端面（開口部１４に臨む端縁部）には、前後方向（隔壁１５の長さ方向）に延びるリブ１６が上方へ突出する形態で形成されている。さらに、隔壁１５の側面（キャビティ１１の内面）には、係止段部１７が形成されている。
【００２１】
ハウジング１０の後端部には、キャビティ１１の外壁を後方へ延長させた形態の保持壁１８が形成されており、保持壁１８の上端縁は、後方に向かって下り勾配となるように傾斜している。同じくハウジング１０の後端部には、キャビティ１１の下面壁を斜め下後方へ延長させた形態の底壁１９が形成されており、底壁１９の後端部には、各キャビティ１１と対応する略半円弧形をなす切欠部２０が形成されている。また、ハウジング１０の左右両外側壁の上端縁のうち開口部１４の前端部と対応する部分には、引掛け溝２１が形成されている。
【００２２】
ハウジング１０の左右両外側面から左右両保持壁１８の外側面に亘る領域には、ロック突起２２（本発明の構成要件であるロック部）が形成されている。ロック突起２２の上端縁のうちキャビティ１１及びリブ１６と対応する前端部分は略水平縁部となっており、これよりも後方の部分は、保持壁１８の上端縁と平行な後傾縁部となっている。ハウジング１０の外側壁の上端縁、保持壁１８の上端縁、ロック突起２２の上端縁には、夫々、外側へ向かって下り勾配となるテーパ面２３が形成されている。また、ロック突起２２の前端面は、ハウジング１０から端子金具５０が抜ける方向に対して略直角な抜け規制面２４となっている。ロック突起２２の後端部下面は、ロック突起２２の後傾縁部と略平行であり、且つハウジング１０に対する電線カバー３６の組み付け方向と略直角な外れ規制面２５となっている。
【００２３】
端子金具５０は、全体として前後方向に細長く、略前半部分が角筒部５１となっており、略後半部分が電線接続部５２となっている。角筒部５１には、その外面から斜め後方へ片持ち状に延出する弾性変形可能なランス５３が形成されている。また、角筒部５１の後端縁は抜止め部５４となっている。さらに、電線接続部５２には、電線５５の端末部が圧着により導通可能に固着されている。
【００２４】
保持部材３０は、リテーナ３１と電線カバー３６を一体化したものである。以下の保持部材３０の構造説明における上下及び前後方向については、保持部材３０をハウジング１０に組み付けた状態を基準とする。  
リテーナ３１は、水平な略平板状をなし、その前端部には、左右一対の係止突起３２が前方へ突出する形態で形成されている。係止突起３２の前端面は、ハウジング１０に対する端子金具５０の挿抜方向（前後方向）と略直角な平坦状の係止面３３となっている。また、係止突起３２には、係止面３３における外側下端部から前方へ突出する引掛部３４が形成されている。さらに、リテーナ３１の下面（キャビティ１１と対向する面）には、リブ１６を嵌合させるための前後方向に細長い嵌合溝３５が形成されている。
【００２５】
電線カバー３６は、リテーナ３１の後端縁から後方に向かって下り勾配を呈する後傾板部３７と、この後傾板部３７の左右両側縁及びリテーナ３１の後端部両側縁から下方へ延出する側板部３８とからなる。後傾板部３７の下面（キャビティ１１と対向する面）には、各キャビティ１１と対応する食い込み部３９が突出形成されている。側板部３８には、その内面から外面に貫通する形態であってロック突起２２を嵌合させるロック孔４０（本発明の構成要件であるロック部）が形成されている。ロック孔４０には、ロック突起２２の抜け規制面２４に対し、面接触状態で当接又は僅かなクリアランス５３を空けて対向する抜け規制面４１が形成されているとともに、ロック突起２２の外れ規制面２５に対し、面接触状態で当接又は僅かなクリアランス５３を空けて対向する外れ規制面４２が形成されている。
【００２６】
かかる保持部材３０は、リテーナ３１の前端縁から前方へ延出する左右一対のヒンジ４３を介して、ハウジング１０に連結されている。ヒンジ４３の前端は、開口部１４の開口縁における前端縁に連なっており、ハウジング１０と保持部材３０とヒンジ４３が一体の部品となっている。金型（図示せず）から取り出された状態では、図２〜図４に示すように、ヒンジ４３が略半円弧状をなすとともに、保持部材３０が組み付け状態とは上下反転して姿勢でハウジング１０の上方に位置している。そして、この状態から、図５に示すように、ヒンジ４３を真っ直ぐに延ばすようにしつつ、そのヒンジ４３を支点として保持部材３０を反転させるように回動させると、ハウジング１０に組み付けられるようになっている。
【００２７】
次に、本実施形態の作用を説明する。  
まず、端子金具５０を後方からハウジング１０内に取り付ける。取り付けに際しては、端子金具５０を電線保持空間２６及び端子挿入口１３を順に通過させてキャビティ１１内に挿入する。端子金具５０がキャビティ１１の前面壁に突き当たる正規位置まで挿入されると、ランス５３が係止段部１７に係止することで、端子金具５０の後方（抜け方向）への変位が規制され、もって、端子金具５０がキャビティ１１内の正規挿入位置に保持される。また、ハウジング１０の後端から導出された電線５５は、電線保持空間２６内を通ってハウジング１０の後方へほぼ水平に延出されている。
【００２８】
端子金具５０をハウジング１０に挿入した後、保持部材３０をハウジング１０に組み付ける。保持部材３０を組み付けた状態では、開口部１４がリテーナ３１によって塞がれて端子金具５０が覆い隠されるとともに、底壁１９及び左右両保持壁１８によって形成されている電線保持空間２６の上方への開口が、電線カバー３６の後傾板部３７によって塞がれる。そして、リテーナ３１の抜止め突起３２がキャビティ１１内に進出して端子金具５０の抜止め部５４に対して後方から係止し、このリテーナ３１の係止作用により端子金具５０が抜止め状態に保持される。また、電線保持空間２６内では、ほぼ水平に後方へ導出されている電線５５が、後傾板部３７の内面で斜め下方へ押圧されることで、斜め下方へ向きを変えさせられ、切欠部２０から電線保持空間２６外へ斜め下方へ導出される。
【００２９】
また、保持部材３０を組み付ける過程では、側板部３８の下端縁がテーパ面２３に当接し、そのテーパ面２３の傾斜によって外側へ拡開変形することで、ロック突起２２を通過することができる。そして、保持部材３０が正規の組み付け状態に至ると、側板部３８が内側へ弾性復帰し、ロック孔４０がロック突起２２に嵌合される。この状態では、外れ規制面２５，４２同士の当接により、電線カバー３６（保持部材３０）がヒンジ４３を支点として略円弧状軌道でハウジング１０から離脱することが規制される。また、抜け規制面２４，４１同士の当接により、ハウジング１０に対して電線カバー３６（保持部材３０）が後方へ水平に離間するように変位することも規制されている。さらに、保持部材３０が組み付けられた状態では、リブ１６と嵌合溝３５が嵌合することにより、ハウジング１０に対する保持部材３０の左右方向への相対変位が規制される。また、引掛部３４が引掛け溝２１に嵌合することで、保持部材３０の前端部が上方へ変位することが規制され、ひいては、ヒンジ４３の破断が防止されている。
【００３０】
上述のように本実施形態においては、リテーナ３１と電線カバー３６を一体の部品（保持部材３０）としたので、リテーナ３１と電線カバー３６が別個の部品であるものに比べて部品点数が少なくて済み、ハウジング１０に対する組み付け作業性に優れている。
【００３１】
また、保持部材３０が、ヒンジ４３を介してハウジング１０に連結されているので、メンテナンス等のためにリテーナ３１や電線カバー３６をハウジング１０から外したときに、保持部材３０が紛失する虞がない。
【００３２】
また、ハウジング１０に対する保持部材３０の組付け経路がヒンジ４３によって規定されるので、組付けの際に保持部材３０がハウジング１０に対して位置ずれする虞がなく、組付け作業性が良い。
【００３３】
また、リテーナ３１が保持部材３０の前側に配され、電線カバー３６が保持部材３０の後側に配され、ヒンジ４３がリテーナ３１に形成され、電線カバー３６とハウジング１０に、互いに係止することで保持部材３０をハウジング１０への組付け状態にロックするロック部（ロック孔４０とロック突起２２）が設けられているので、保持部材３０をハウジング１０に組み付けた状態では、保持部材３０の前側部分がヒンジ４３によりハウジング１０に連結されるとともに、保持部材３０の後側部分がロック部によってハウジング１０に係止される。このように、保持部材３０は前後２ヶ所でハウジング１０に支持されるので、組付け状態における保持部材３０の姿勢が安定する。
【００３４】
また、端子金具５０に接続した電線５５がハウジング１０から抜ける方向（後方）へ引っ張られると、端子金具５０が電線カバー３６を同方向へ押圧することになるのであるが、ロック突起２２とロック孔４０には、ハウジング１０から端子金具５０が抜ける方向と略直角な抜け規制面２４，４１が形成されているので、この抜け規制面２４，４１同士が係止することにより、電線カバー３６のハウジング１０からの離脱や相対変位が規制され、ひいては、端子金具５０の抜け方向の変位が規制される。
【００３５】
また、ロック突起２２とロック孔４０には、ハウジング１０から電線カバー３６が外れる方向と略直角な外れ規制面２５，４２が形成されているので、電線カバー３６に対しハウジング１０から外れる方向の外力が作用しても、外れ規制面２５，４２同士が係止することにより、電線カバー３６のハウジング１０からの外れが規制される。
【００３６】
また、電線保持空間２６内の電線５５には電線カバー３６の食い込み部３９が食い込むようになっているので、この食い込み作用により、電線５５の長さ方向への変位が規制される。これにより、電線５５が引っ張られたときに、端子金具５０と電線５５の接続部分における負荷が軽減される。
【００３７】
また、ハウジング１０の外面には、キャビティ１１を外部に開放させる開口部１４が形成され、この開口部１４がリテーナ３１によって閉塞されるようになっているのであるが、隣り合うキャビティ１１間の隔壁１５における開口部１４に臨む端縁部にリブ１６を形成するとともに、リテーナ３１における開口部１４に臨む面に嵌合溝３５を形成し、保持部材３０をハウジング１０に組み付けてハウジング１０の開口部１４をリテーナ３１で塞いだ状態では、リブ１６をリテーナ３１の嵌合溝３５に嵌合させるようにしたので、ハウジング１０に対してリテーナ３１が位置決めされる。
【００３８】
＜実施形態２＞
次に、本発明を具体化した実施形態２を図１５および図１６を参照して説明する。本実施形態２は、上記実施形態１において、リブ１６の左右両外側面と嵌合溝３５の左右両内側面に、係止爪１６ａ，３５ａ（本発明の構成要件である係止部）を形成したものである。保持部材３０がハウジング１０に組み付けられてリブ１６が嵌合溝３５内に嵌入した状態では、双方の係止爪１６ａ，３５ａが係止することにより、リテーナ３１がハウジング１０に対して上方へ相対変位することが規制される。これにより、保持部材３０をハウジング１０に対して確実に組み付け状態に保持しておくことができる。その他の構成については上記実施形態１と同じであるため、同じ構成については、同一符号を付し、構造、作用及び効果の説明は省略する。
【００３９】
＜他の実施形態＞
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。  
（１）上記実施形態では保持部材とハウジングをヒンジを介して連結したが、本発明によれば、保持部材とハウジングとを別個の部品としてもよい。  
（２）上記実施形態ではヒンジをリテーナに設けたが、本発明によれば、ヒンジを電線カバーに設けてもよく、ヒンジをリテーナと電線カバーの両方に設けてもよい。  
（３）上記実施形態では保持部材側のロック部を電線カバーに設けたが、本発明によれば、保持部材側のロック部をリテーナに設けてもよい。
【図面の簡単な説明】
【００４０】
【図１】実施形態１において保持部材をハウジングに組み付ける前の状態をあらわす平面図
【図２】保持部材をハウジングに組み付ける前の状態をあらわす側面図
【図３】図１のＡ−Ａ断面図
【図４】保持部材をハウジングに組み付ける前であって端子金具をハウジングに挿入した状態をあらわす縦断面図
【図５】端子金具をハウジングに挿入して保持部材をハウジングに組み付けた状態をあらわす縦断面図
【図６】端子金具をハウジングに挿入して保持部材をハウジングに組み付けた状態をあらわす側面図
【図７】図２のＢ−Ｂ断面図
【図８】図２のＣ−Ｃ断面図
【図９】保持部材をハウジングに組み付ける前の状態をあらわす背面図
【図１０】保持部材をハウジングに組み付ける前の状態であって端子金具をハウジングに挿入した状態をあらわす横断面図
【図１１】端子金具をハウジングに挿入して保持部材をハウジングに組み付けた状態をあらわす横断面図
【図１２】図２のＤ−Ｄ断面図
【図１３】端子金具の側面図
【図１４】端子金具の一部切欠平面図
【図１５】実施形態２において保持部材をハウジングに組み付ける前の状態をあらわす背面図
【図１６】保持部材をハウジングに組み付けた状態をあらわす横断面図
【符号の説明】
【００４１】
１０…ハウジング
１１…キャビティ
１５…隔壁
１６…リブ
２２…ロック突起（ロック部）
２４，４１…抜け規制面
２５，４２…外れ規制面
３０…保持部材
３１…リテーナ
３５…嵌合溝
３６…電線カバー
３９…食い込み部
４０…ロック孔（ロック部）
４３…ヒンジ
５０…端子金具
５５…電線
１６ａ…係止爪（係止部）
３５ａ…係止爪（係止部）
【図１】
2006164843.tif 000003
【図２】
2006164843.tif 000004
【図３】
2006164843.tif 000005
【図４】
2006164843.tif 000006
【図５】
2006164843.tif 000007
【図６】
2006164843.tif 000008
【図７】
2006164843.tif 000009
【図８】
2006164843.tif 000010
【図９】
2006164843.tif 000011
【図１０】
2006164843.tif 000012
【図１１】
2006164843.tif 000013
【図１２】
2006164843.tif 000014
【図１３】
2006164843.tif 000015
【図１４】
2006164843.tif 000016
【図１５】
2006164843.tif 000017
【図１６】
2006164843.tif 000018